(57)【要約】      （修正有）【課題】和装時などにおける着用者の体型補整および体温の調節を行うことが可能であり、薄手の着物を着た場合において当てパッドのシルエットが気にならない温度調節用の下着を提供する。【解決手段】身体の温度調節用の下着１であって、胴部に巻き付ける帯状部１１と、帯状部に着脱可能に取り付けられて着用者のヒップの上方部に当てるための当てパッド１２と、を備え、帯状部１１には、着用者の背中部分および左右の腰部分にそれぞれ当接する位置に温調材ＨＲ１〜ＨＲ３を収納するための袋体２１〜２３が設けられており、当てパッド１２は、帯状部１１の下方に突出する第１の位置と、帯状部１１の下方に突出しない第２の位置とにおいて、帯状部１１に着脱可能に選択的に取り付けられる。【選択図】図２
0003199825.tif 000002
【実用新案登録請求の範囲】
【請求項１】
身体の温度調節用の下着であって、
胴部に巻き付ける帯状部と、
前記帯状部に着脱可能に取り付けられて着用者のヒップの上方部に当てるための当てパッドと、を備え、
前記帯状部には、着用者の背中部分および左右の腰部分にそれぞれ当接する位置に温調材を収納するための袋体が設けられており、
前記当てパッドは、前記帯状部の下方に突出する第１の位置と、前記帯状部の下方に突出しない第２の位置とにおいて、前記帯状部に着脱可能に選択的に取り付けられる、
ことを特徴とする温度調節用の下着。
【請求項２】
前記当てパッドには、温調材を収納するための袋体が設けられており、
前記当てパッドを前記第２の位置またはそれよりも上方である第３の位置に取り付けたときに、当該当てパッドの袋体と前記帯状部の背中部分に設けられた袋体との位置が上下に互いにずれていずれにも温調材を収納することが可能となるように構成される、
請求項１記載の温度調節用の下着。
【請求項３】
前記当てパッドの袋体には、外形が長辺と短辺を有する長方形である温調材が縦状態の場合に２つ、横状態の場合に１つ、収納可能である、
請求項１または２記載の温度調節用の下着。
【請求項４】
前記袋体には、外形が長辺と短辺を有する長方形である温調材を２つ収納するための２つの袋が左右に並んで設けられている、
請求項１または２記載の温度調節用の下着。
【請求項５】
前記帯状部および前記当てパッドは、いずれも吸湿性の良好なタオル地によって形成されている、
請求項１ないし４のいずれかに記載の温度調節用の下着。
【請求項６】
身体の温度調節用の下着であって、
胴部に巻き付ける帯状部を備え、
前記帯状部には、着用者の背中部分および左右の腰部分にそれぞれ当接する位置に温調材を収納するための袋体が設けられており、
前記袋体には、外形が長辺と短辺を有する長方形である温調材を２つ収納するための２つの袋が左右に並んで設けられている、
ことを特徴とする温度調節用の下着。
【請求項７】
前記袋体に温調材が収納されている、
請求項１ないし６のいずれかに記載の温度調節用の下着。
【請求項８】
請求項１ないし５のいずれかに記載の温度調節用の下着を含む、和装用の補整下着。
【考案の詳細な説明】
【技術分野】
【０００１】
本考案は、温度調節用の下着および和装用の補整下着に関する。
【背景技術】
【０００２】
例えば女性が和服（着物）を着用する際には、着物の下に、和装用の肌襦袢および長襦袢を着用する他、紐、伊達巻、帯、ウエストパッド、ヒップパッド、胸部巻き付け用の晒布、和装ブラジャーなどの下着や小物を用い、体型を整えて和装姿を美しく見せるようにし、また着くずれを起こさないようにするのが一般的である。
【０００３】
このように和装では多くの下着を着用するので、冬季などは暖かくて快適であるのだが、夏期においては着用者が暑く感じることがある。
【０００４】
和服の着用の際の汗を吸収するために、補正下着の左右の前身頃と両脇下部分にポケットを設け、ポケットに吸水性シートを収納して和服の着用者から出る汗を吸収することが提案されている（特許文献１、２）。
【０００５】
また、暑い日に涼しく過ごせるように、帽子やチョッキなどにポケットを設けておき、ポケットに保冷剤を収納することが提案されている（特許文献３、４）。
【０００６】
また、本出願人は、着用者の背中部分および左右の腰部分にそれぞれ当接する位置に保冷剤を収納するための袋体を設け、かつ着用者のヒップの上方部に当てるための当てパッドを備えた和装用の補整下着を先に提案した（特許文献５）。
【先行技術文献】
【特許文献】
【０００７】
【特許文献１】特開２０００−１１０００１号公報
【特許文献２】特開２００６−１５６６７号公報
【特許文献３】特開平１１−１０７７０２７号公報
【特許文献４】特開２００３−５５８１１号公報
【特許文献５】特開２０１５−１７３４５号公報
【考案の概要】
【考案が解決しようとする課題】
【０００８】
上に述べたように、従来において、和服を着用し場合に夏期においては着用者が暑く感じることがある。特にエアコンディショナーによる冷房が施されていない野外などにおいては、和服を着用して長時間にわたるイベントなどに出席することは暑さのため大変であった。
【０００９】
特許文献２において提案された従来の吸水性シートを用いる方法では、脇下などの汗を吸収してべたつき感を低減する効果はあるが、着用者の体温の上昇を抑制して暑さを低減するまでの効果はない。
【００１０】
特許文献３、４において提案された従来の帽子やチョッキなどは、ポケットに収納した保冷剤によって頭部、胸部周囲、または脇部などの体温の上昇を抑制することには効果があるが、これらは洋装用であり、そのままでは和装用に適用できない。
【００１１】
特に、和装時には、胴体の体型が寸胴状となるようにウエスト部分に晒布やパッドを当てて体型補整を行うので、ウエスト部分の体温が上昇し易いという問題がある。
【００１２】
また、特許文献５において提案された和装用の補整下着では、和装時における着用者のウエスト部分について、その体型補整を行うとともに体温の上昇を抑制し、夏期着用などに際しての暑さを低減することができるという優れた効果がある。
【００１３】
しかし、正式な厚手の着物を着た場合には透けては見えないが、浴衣のような薄手の着物を着た場合において、当てパッドがシルエットとして透けて見えることがある。
【００１４】
本考案は、上述の問題に鑑みてなされたもので、和装時などにおける着用者の体型補整および体温の調節を行うことが可能であるとともに、薄手の着物を着た場合において当てパッドのシルエットが気にならないようにした温度調節用の下着を提供することを目的とする。
【課題を解決するための手段】
【００１５】
本考案によって提案される温度調節用の下着は、身体の温度調節用の下着であって、胴部に巻き付ける帯状部と、前記帯状部に着脱可能に取り付けられて着用者のヒップの上方部に当てるための当てパッドと、を備え、前記帯状部には、着用者の背中部分および左右の腰部分にそれぞれ当接する位置に温調材を収納するための袋体が設けられており、前記当てパッドは、前記帯状部の下方に突出する第１の位置と、前記帯状部の下方に突出しない第２の位置とにおいて、前記帯状部に着脱可能に選択的に取り付けられる。
【００１６】
好ましくは、前記当てパッドには、温調材を収納するための袋体が設けられており、前記当てパッドを前記第２の位置またはそれよりも上方である第３の位置に取り付けたときに、当該当てパッドの袋体と前記帯状部の背中部分に設けられた袋体との位置が上下に互いにずれていずれにも温調材を収納することが可能となるように構成される。
【００１７】
また、前記当てパッドの袋体には、外形が長辺と短辺を有する長方形である温調材が縦状態の場合に２つ、横状態の場合に１つ、収納可能である。
【００１８】
また、前記帯状部および前記当てパッドは、いずれも吸湿性の良好なタオル地によって形成される。
【考案の効果】
【００１９】
本考案によると、和装時などにおける着用者の体型補整および体温の調節を行うことが可能であるとともに、薄手の着物を着た場合において当てパッドのシルエットが気にならないようにした温度調節用の下着および和装用の補整下着を提供することができる。
【図面の簡単な説明】
【００２０】
【図１】本考案に係る実施形態の和装用の補整下着を示す図である。
【図２】帯状部に対する当てパッドの位置を変更した状態を示す図である。
【図３】袋体に保冷剤を収納する場合の例を示す図である。
【図４】図１のＡＡ−ＡＡ線およびＢＢ−ＢＢ線による矢視断面図である。
【図５】保冷剤の形状の例を示す図である。
【図６】補整下着を装着したときの状態を背中側および上側から見た図である。
【図７】他の実施形態の補整下着の背中側の袋体に保冷剤を収納する場合の例を示す図である。
【考案を実施するための形態】
【００２１】
図１には本考案に係る実施形態の和装用の補整下着１が示されている。図１（Ａ）は上面図、図１（Ｂ）は正面図、図１（Ｃ）は背面図である。図２には、帯状部１１に対する当てパッド１２の位置を変更した状態が示されている。図３には、袋体に保冷剤を収納する場合の例が示されている。図４には、図１に示す補整下着１の袋体の部分の断面が示されている。図５には、保冷剤の形状の例が示されている。また、図６には、補整下着１を装着したときの状態を背中側および上側から見た図が、それぞれ示されている。
【００２２】
図１〜図６において、補整下着１は、和服の下に体型の補整のために着用するものであり、胴部特にウエスト部分に巻き付けるように帯状に形成された帯状本体５を有する。
【００２３】
帯状本体５は、帯状部１１、および帯状部１１に取り付けられて着用者ＴＳのヒップＨＰの上方部に当てるための当てパッド１２を備える。
【００２４】
帯状本体５には、帯状本体５の着用者ＴＳの背中部分ＳＮおよび左右の腰部分ＫＳにそれぞれ当接する位置に、保冷剤ＨＲ１〜３を収納するための袋体２１〜２４が設けられる。
【００２５】
つまり、帯状本体５の帯状部１１には、背中部分ＳＮに当接する位置に第１の保冷剤ＨＲ１（ＨＲ１Ａ）を収納するための第１の袋体２１が設けられ、着用者の左側の腰部分ＫＳに当接する位置に第２の保冷剤ＨＲ２を収納するための第２の袋体２２が設けられ、着用者の右側の腰部分ＫＳに当接する位置に第３の保冷剤ＨＲ３を収納するための第３の袋体２３が設けられる。
【００２６】
また、当てパッド１２には、背中部分ＳＮに当接する位置に第１の保冷剤ＨＲ１（ＨＲ１Ｂ）を収納するための第４の袋体２４が設けられる。
【００２７】
これらの袋体２１〜２４は、いずれも上側（上方）のみが開放されており、上方から保冷剤ＨＲを挿入しまたは取り出すことが可能である。
【００２８】
本実施形態で使用される第１〜第３の保冷剤（蓄冷剤）ＨＲ１〜３は、互いに同じ形状であり、図５に示すように、外形が長辺と短辺を有する長方形の板状体である。つまり、ここで用いられる保冷剤ＨＲは、幅Ｗ１、高さＨ１、厚さＤ１を有する板状体である。
【００２９】
保冷剤ＨＲ１の寸法は、例えば、幅Ｗ１が１２センチメートル程度、高さＨ１が８センチメートル程度、厚さＤ１が１〜２センチメートル程度である。
【００３０】
保冷剤ＨＲは、高分子ポリマーや高吸水性ポリマーなどの蓄熱剤を合成樹脂フィルムまたはアルミ箔などで包装したものである。保冷剤ＨＲは、蓄熱剤の融解温度が体温よりも低くなるように、例えば１０〜３０℃程度の範囲、さらには２０〜３０℃程度の範囲となるように設定する。具体的には、例えば、２５℃程度、または２６℃程度、または２７℃程度、または２０℃程度、またはその他の温度に設定する。
【００３１】
第１の袋体２１は、保冷剤ＨＲ１の短辺（高さＨ１方向の辺）が胴部の周方向に沿うように収納可能である。つまり、第１の袋体２１は、保冷剤ＨＲ１を縦状態で収納可能なよう、縦方向（背筋方向）に長く形成される。
【００３２】
第２の袋体２２および第３の袋体２３は、それぞれ２つずつの袋が設けられ、それぞれ２個の保冷剤ＨＲが、それらの短辺が胴部の周方向に沿うように収納可能である。つまり、第２および第３の袋体２２、２３は、それぞれ、２つの袋がそれぞれ保冷剤ＨＲ２，３を縦状態で収納可能なよう、縦方向に長く形成される。
【００３３】
第４の袋体２４は、２つの保冷剤ＨＲが、それらの短辺が胴部の周方向に沿うように収納可能である。また、１つの保冷剤ＨＲの長辺が胴部の周方向に沿うように収納可能である。つまり、第４の袋体２４は、横方向（胴部の周方向）に長く形成され、保冷剤ＨＲ１が縦状態の場合に２つ収納可能であり、保冷剤ＨＲ１が横状態の場合に１つ収納可能である。
【００３４】
当てパッド１２は、帯状部１１の長手方向のほぼ中央部において、帯状部１１に着脱可能に取り付けられる。つまり、帯状部１１にはホック２５が取り付けられ、当てパッド１２にはホック２５と係合するホック２６が取り付けられ、ホック２５，２６によって当てパッド１２が帯状部１１に取り付けられる。ホック２５，２６のいずれか一方が雄であり他方が雌である。
【００３５】
図１〜図３に示されているように、ホック２５，２６は、帯状部１１および当てパッド１２のそれぞれ左右に３個ずつ、合計でそれぞれ６個ずつ取り付けられている。６個つまり６組のホック２５，２６を全部係合させた場合には、図１および図３（Ａ）に示すように、当てパッド１２の下端部が帯状部１１の下方に突出するように取り付けられる。つまり、このときの当てパッド１２の位置は本考案における「第１の位置」の例であり、これは女性が着物を着用する際に標準的に用いられる位置である。
【００３６】
また、帯状部１１の上方の４個のホック２５に当てパッド１２の下方の４個のホック２６を係合させた場合には、図２（Ａ）に示すように、当てパッド１２の下端部は帯状部１１の下端部とほぼ同じ位置となり、帯状部１１の下方には突出しない。つまり、このときの当てパッド１２の位置は本考案における「第２の位置」の例であり、これは、例えば、女性または男性が浴衣のような薄手の着物を着用する際に標準的に用いられる位置である。
【００３７】
また、帯状部１１の上方の２個のホック２５に当てパッド１２の下方の２個のホック２６を係合させた場合には、図２（Ｂ）および図３（Ｂ）に示すように、当てパッド１２の第４の袋体２４の位置と帯状部１１の背中部分に設けられた第１の袋体２１との位置が上下に互いにずれた位置となる。そのため、図３（Ｂ）に示すように、第１の袋体２１および第４の袋体２４の両方に保冷剤ＨＲ１Ａ，１Ｂを収納することが可能である。つまり、このときの当てパッド１２の位置は本考案における「第３の位置」の例であり、できるだけ多くの保冷剤ＨＲ１Ａ，１Ｂを使用したいときに用いられる位置である。
【００３８】
これら「第１の位置」「第２の位置」「第３の位置」は、この実施形態の位置に限定されるものではなく、種々変更が可能である。
【００３９】
なお、図３（Ｂ）においては、第４の袋体２４に１個の保冷剤ＨＲ１Ｂを収納しているが、２個の保冷剤ＨＲ１Ｂａ，ｂを収納することも可能である。
【００４０】
しかし、袋体または袋の個数、縦横の方向、大きさなどは、これ以外のものとしてもよい。
【００４１】
例えば、図７の補整下着１Ｂに示すように、第１の袋体２１として２つの袋が左右に並ぶように設けてもよい。また、第４の袋体２４の中央部を帯状部１１当てパッド１２の本体と縫い合わせて２つの袋が左右に並ぶように区切ってもよい。このようにした場合には、第１の袋体２１には２つの保冷剤ＨＲ１Ａａ，ｂが収納可能であり、第４の袋体２４には２つの保冷剤ＨＲ１Ｂａ，ｂが収納可能であり、背中部分ＳＮに合計４つの保冷剤ＨＲが収納可能となる。複数の保冷剤ＨＲを収納した場合でも保冷剤ＨＲの位置が安定し、位置がずれたりしない。
【００４２】
本実施形態においては、帯状部１１と当てパッド１２との結合のために６組のホック２５，２６を用いたが、４組または８組以上でもよい。ホック２５，２６に代えて他の結合部材、例えばマジックテープ（登録商標）のような面ファスナーなどを用いてもよい。
【００４３】
帯状部１１、当てパッド１２、および第１〜第４の袋体２１〜２４は、いずれも、吸湿性の良好な布地またはタオル地などを主な材料とし、縫製などによって形成される。それらの厚さは、種々適当な厚さとすればよい。例えば、それぞれ２枚または３枚など、多数枚を重ね合わせたものを用いてもよい。
【００４４】
図１において、帯状部１１の端部の表裏には、面ファスナー１３の一方１３ａとその相手方１３ｂが縫い付けられており、着用者ＴＳに装着するときに、胴部に巻き付けた後、面ファスナー１３によって長さ調整を行って固定することができる。
【００４５】
なお、面ファスナー１３の種類、サイズ、個数などは、種々変更可能である。また、面ファスナー１３に代えて、紐を用いて補整下着１の全体を固定することも可能である。その場合には、帯状部１１の端部に適当な長さの紐を取り付けておき、胴部に巻き付けた後で紐を結ぶようにすればよい。
【００４６】
本実施形態の補整下着１，１Ｂによれば、着用者ＴＳに対して、帯状本体５を胴部に巻き付けることによって、和装時における着用者ＴＳのウエスト部分について、その体型補整を行うことができる。
【００４７】
背中部分ＳＮおよび左右の腰部分ＫＳに保冷剤ＨＲ１〜３が配置されて当接することになるので、これらの部分の体温の上昇が抑制され、夏期着用などに際しての暑さが低減される。
【００４８】
第１〜第３の保冷剤ＨＲ１〜３は、保冷部材であると同時に補整のための部材ともなるので、冷却と補整とが兼用され、和服の着付けに際しての手間が複雑にはならない。
【００４９】
すなわち、和服を着用するときは、特にウエストの周辺について補整のために多くの布などを巻き付けるので、ウエストの周辺の体温が上昇し易い。本実施形態の補整下着１を用いることにより、体型の補整と同時にウエストの部分の体温の上昇を抑制することができ、夏期における和服の着用が快適なものとなる。
【００５０】
第１〜第３の保冷剤ＨＲ１〜３は、腰部分ＫＳの括れに旨く嵌まり込んで和服を着たときのシルエットを美しく見せるとともに、使用の当初は個体であるのでコルセットに類似の役目によって良い姿勢の保持も期待できる。
【００５１】
第１〜第３の保冷剤ＨＲ１〜３はいずれも同じ形状であるので、管理が容易である。しかも、第１の保冷剤ＨＲ１Ｂは背中部分ＳＮに横状態で配置することができ、第２および第３の保冷剤ＨＲ２、３は腰部分ＫＳに縦状態で配置されるので、補整と冷却とが適切に行われる。
【００５２】
また、当てパッド１２を「第３の位置」とすることにより、多くの保冷剤ＨＲ１Ａ，１Ｂを収納することができ、これによりより適切な冷却を行って快適なものとすることができる。
【００５３】
このように、本実施形態の補整下着１によると、和装時などにおける着用者の体型補整および体温の調節を行うことが可能であり、しかも、帯状部１１の上方のホック２５と当てパッド１２の下方のホック２６を係合させることにより、当てパッド１２の下端部が帯状部１１の下方に突出しないように配置できる。これにより、薄手の着物を着た場合において、帯状部１１の下端部のラインから下方に当てパッド１２がでないので、当てパッド１２のシルエットが気にならないようになる。
【００５４】
帯状部１１と当てパッド１２とが着脱可能であるので、サイズの異なる種々のものを組み合わせて用いることができ、種々の体型の着用者ＴＳにも適応が容易である。
【００５５】
なお、保冷剤ＨＲは、当初は個体であるが、使用によって温度が上昇しやがて融解してゾル状となる。その間において周囲の熱を吸収して体温の上昇を抑制する。ゾル状となった保冷剤ＨＲは、融解温度以下で保管しておくことによってゲル化して個体となる。その際に、保冷剤ＨＲを平坦面上に置いておくか、または体型に沿った形状の面の上に置いておけばよい。つまり、保冷剤ＨＲは板状体であるというものの、ゲル化のための保管方法によってその形状を種々変えることが可能である。
【００５６】
また、補整下着１，１Ｂを長時間にわたって着用すると保冷剤ＨＲが融解して温度が上昇するが、その場合に、着用者ＴＳが汗をかいた場合に、その汗は帯状部１１および当てパッド１２によって吸収されることとなり、着用者ＴＳの不快感を緩和することができる。
【００５７】
上の実施形態で用いた保冷剤ＨＲ１は板状体であったが、これ以外の種々の形状のものを用いることができる。
【００５８】
上に述べた実施形態において、補整下着１，１Ｂに保冷剤ＨＲを収納した状態が、補整冷却下着である。つまり、補整冷却下着は、そのまま着用して体型の補整と冷却とを行うことができる。
【００５９】
上に述べた実施形態において、帯状部１１および当てパッド１２に用いる材料は上に述べた以外に種々変更することができる。それらの形状または構造についても種々変更することができる。
【００６０】
保冷剤ＨＲの形状、サイズ、融解温度、使用する個数などは、上に述べた以外に種々変更することができる。保冷剤ＨＲを配置する位置に応じて、保冷剤ＨＲの融解温度を異ななせておいてもよい。
【００６１】
また、第１〜第４の袋体２１〜２４以外に、別の袋体を設けて保冷剤ＨＲを収納するようにしてもよい。例えば、着用者ＴＳの腹の部分に当接する位置に袋体を設け、そこに保冷剤ＨＲを収納するようにしてもよい。その場合に、腹の部分に当接する位置に収納する保冷剤ＨＲの融解温度を他の保冷剤ＨＲよりも高めに設定し、腹が冷えすぎないようにするのが好ましい。また、腹のみではなく他の部分についても、帯状部１１または当てパッド１２の生地の厚さを調整して保冷効果の程度を調整するようにしてもよい。
【００６２】
また、袋体２１〜２４の上側を開放して上方から保冷剤ＨＲを挿入するようにしたが、これ以外の方向、例えば横側を開放してもよい。また、袋体を開放することなく、保冷剤ＨＲを収納した状態で袋体の周囲を縫い付けておいてもよい。
【００６３】
帯状部１１および当てパッド１２の材料として、紙オムツなどに用いられている材料を用いることも可能である。例えば、合成繊維、高吸収性ポリマー、不織布などを用いることも可能である。また、これらの材料などを用いることにより、帯状部１１または当てパッド１２、または補整下着１，１Ｂの全体を、使い捨てとすることも可能である。
【００６４】
上に述べた実施形態では、温調材として保冷剤ＨＲを用い、身体を冷却する例を示した。しかし、温調材としてカイロまたは使い捨てカイロのような発熱材または保温材を用い、これにより身体を温めてもよい。また、保冷剤と保温剤とを混合して用い、部分的に冷却と保温とを行ってもよい。また、補整下着１に代えて、補整用ではない単なる下着、例えば作業用の下着、または腹巻などのように被服としての下着であってもよい。つまり、例えば身体の温度調節用の下着であってもよい。
【００６５】
このように、補整下着１，１Ｂを温度調節用の下着として用いた場合において、帯状部１１により胴廻りを適度に締め付けてコルセットに類似の効果が得られ、良い姿勢の保持を期待することができる。また、温調材によってもコルセットに類似の効果が大きくなり、良い姿勢の保持への寄与が期待できる。温調材として保温剤を用いることにより、身体が温められ、冷え性の着用者ＴＳや寒冷地で作業または生活をする着用者ＴＳなどが快適に過ごすことができる。
【００６６】
このような温度調節用の下着の袋体に温調材を収納したものは、これをそのまま着用して体温調整を行うことができ、着用の仕方によって体型の補整も行うことができる。
【００６７】
その他、袋体２１〜２４、帯状部１１、当てパッド１２、帯状本体５、保冷剤ＨＲ、または補整下着１，１Ｂの全体または各部の構成、構造、形状、サイズ、個数、配置などは、本考案の主旨に沿って適宜変更することができる。
【符号の説明】
【００６８】
１，１Ｂ  補整下着（温度調節用の下着、和装用の補整下着）
５  帯状本体
１１  帯状部
１２  当てパッド
２１  第１の袋体（袋体）
２２  第２の袋体（袋体）
２３  第３の袋体（袋体）
２４  第４の袋体（袋体）
ＨＲ１  第１の保冷剤（温調材）
ＨＲ２  第２の保冷剤（温調材）
ＨＲ３  第３の保冷剤（温調材）
ＴＳ  着用者
ＳＮ  背中部分
ＫＳ  腰部分
【図１】
0003199825.tif 000003
【図２】
0003199825.tif 000004
【図３】
0003199825.tif 000005
【図４】
0003199825.tif 000006
【図５】
0003199825.tif 000007
【図６】
0003199825.tif 000008
【図７】
0003199825.tif 000009